(57)【要約】【課題】壁面に着脱自在に取付可能な棚板を活用して、収納可能重量の大きな壁面収納装置を提供する。【解決手段】壁面１０に設けられた略水平方向のレール部材に、係止部材６０を介して棚板を壁面１０から手前側に突出するように、着脱自在に取り付けてなる壁面収納装置であって、レール部材を壁面１０の上下平行に二本設けて、上方のレール部材２０に取り付けられた棚板を天板２とし、下方のレール部材３０に取り付けられた棚板を地板３として、天板２と地板３に挟まれた収納空間Ｘを形成するとともに、収納空間Ｘの手前側に、収納空間Ｘの全部又は一部を隠蔽する扉１を設ける。【選択図】図１
2006238930.tif 000002
【特許請求の範囲】
【請求項１】
壁面に設けられた略水平方向のレール部材に、係止部材を介して棚板を前記壁面から手前側に突出するように、着脱自在に取り付けてなる壁面収納装置であって、
前記レール部材を前記壁面の上下平行に二本設けて、上方のレール部材に取り付けられた棚板を天板とし、下方のレール部材に取り付けられた棚板を地板として、前記天板と前記地板に挟まれた収納空間を形成するとともに、
前記収納空間の手前側に、前記収納空間の全部又は一部を隠蔽する扉を設けたことを特徴とする壁面収納装置。
【請求項２】
壁面に設けられた略水平方向のレール部材に、係止部材を介して棚板を前記壁面から手前側に突出するように、着脱自在に取り付けてなる壁面収納装置であって、
前記棚板の下方床面には箱部材が設置されており、前記棚板を天板とし、前記箱部材の上面を地板として、前記天板と前記地板に挟まれた収納空間を形成するとともに、
前記収納空間の手前側に、前記収納空間の全部又は一部を隠蔽する扉を設けたことを特徴とする壁面収納装置。
【請求項３】
壁面に設けられた略水平方向のレール部材に、係止部材を介して棚板を前記壁面から手前側に突出するように、着脱自在に取り付けてなる壁面収納装置であって、
前記棚板を天板とし、前記棚板の下方床面を地板として、前記天板と前記地板に挟まれた収納空間を形成するとともに、
前記収納空間の手前側に、前記収納空間の全部又は一部を隠蔽する扉を設けたことを特徴とする壁面収納装置。
【請求項４】
前記収納空間内の壁面には、更にレール部材が一本以上設けられており、その一本以上設けられているレール部材に棚板を取り付けたことを特徴とする請求項１乃至請求項３のうちいずれか一つに記載の壁面収納装置。
【請求項５】
前記収納空間内又はその側面に二枚の側板を設けて、前記壁面，前記天板，前記地板，前記扉，前記二枚の側板により箱型の閉鎖空間を形成したことを特徴とする請求項１乃至請求項４のうちいずれか一つに記載の壁面収納装置。
【請求項６】
前記閉鎖空間を左右に分割する仕切板及び／又は前記閉鎖空間を上下に分割する分割棚板をさらに設けたことを特徴とする請求項５に記載の壁面収納装置。
【請求項７】
前記扉は、前記天板に取り付けられた左右にスライド可能な引き戸であることを特徴とする請求項１乃至請求項６のうちいずれか一つに記載の壁面収納装置。
【請求項８】
前記扉は、前記天板に取り付けられた開閉自在な上開き戸であることを特徴とする請求項１乃至請求項６のうちいずれか一つに記載の壁面収納装置。
【請求項９】
前記扉は、前記地板に取り付けられた開閉自在な下開き戸であることを特徴とする請求項１乃至請求項６のうちいずれか一つに記載の壁面収納装置。
【請求項１０】
前記扉は、前記側板に取り付けられた開閉自在な横開き戸であることを特徴とする請求項５又は請求項６に記載の壁面収納装置。
【発明の詳細な説明】
【技術分野】
【０００１】
本発明は、壁面に着脱自在に取付可能な棚板を活用した壁面収納装置に関する。
【背景技術】
【０００２】
近年、壁面にレール部材を設け、レール部材に棚やフック、収納ボックスを自由に取り付けて使用する建材が用いられるようになってきている。こうした建材によれば、自分の好みに合わせて部屋の壁面に自由な収納スペースを設けることが可能となる。
この一例として、図１５に示すような収納ボックス１００がある。
収納ボックス１００は、本体１０１と引き出し１０２からなり、引き出し１０２に収納物を収容して本体１０１に挿入するようになっている。そして収納ボックス１００は係止部材６０を介して壁面１０に設けられたレール部材２０に取り付けられている。
【０００３】
図１６は、図１５のＤ−Ｄ拡大断面図であり、収納ボックス１００のレール部材２０への取り付け部分を示している。
図１６に示すように、壁面１０は、パネル部材１１，１１とレール部材２０を交互に連結することにより形成されている。また、レール部材２０には断面円弧状の挿入溝部２１が設けられている。
一方、本体１０１の壁面１０側の背面には、係止部材６０が取り付けられている。係止部材６０の一端には断面円弧状の挿入片６１が形成されており、他端には壁面１０と当接する当接部６２が形成されている。そして、挿入片６１をレール部材２０の挿入溝部２１に挿入するとともに当接部６２を壁面１０に当接させて、収納ボックス１００をレール部材２０に取り付けている。
【０００４】
一方、レール部材に対して棚や収納ボックスなどの建材を、より強固に取り付けるために、以下に示すような提案がなされている。
例えば、特許文献１や特許文献２には、壁面にレール部材を設ける構造として、壁材の溝にレール部材を埋設することで、より強固な構造としたものが記載されている。
また特許文献３には、パネル部材と異質のレール部材を用いずに、パネル部材自体で棚板の取付用溝（レール）を形成するようにしたものが記載されている。
また、特許文献４，特許文献５，特許文献６には、係止部材をレール部材に係合しやすく、しかも確実な係合状態を保つことのできるようにした係止装置が記載されている。
【特許文献１】実用新案登録第３０７８６９２号公報
【特許文献２】実用新案登録第３０９５２１８号公報
【特許文献３】特開２００３−２７８３４９号公報
【特許文献４】特開２００２−３６４１０３号公報
【特許文献５】特開２００３−２１９９２７号公報
【特許文献６】特開２００４−３５８２０４号公報
【発明の開示】
【発明が解決しようとする課題】
【０００５】
しかし、上記収納ボックス１００は、一本のレール部材２０のみにより支えられているため、収納ボックス１００と収納物の合計重量が一本のレール部材２０で耐えうる範囲内でなければならず、少量の物品しか収納することができない。
一方、上記特許文献１乃至特許文献６に記載された発明により、レール部材一本あたりで支えられる重量を増加させることはできるが、レール部材一本で支えている限り収納可能重量を大きく増加させることはできない。
【０００６】
そこで本発明は、上記従来の課題を解決するためのものであり、壁面に着脱自在に取付可能な棚板を活用して、収納可能重量の大きな壁面収納装置を提供するものである。
【課題を解決するための手段】
【０００７】
上記従来の課題を解決するために、請求項１に係る発明の壁面収納装置は、壁面（１０）に設けられた略水平方向のレール部材（２０，３０）に、係止部材（６０）を介して棚板を前記壁面（１０）から手前側に突出するように、着脱自在に取り付けてなる壁面収納装置であって、前記レール部材（２０，３０）を前記壁面（１０）の上下平行に二本設けて、上方のレール部材（２０）に取り付けられた棚板を天板（２）とし、下方のレール部材（３０）に取り付けられた棚板を地板（３）として、前記天板（２）と前記地板（３）に挟まれた収納空間（Ｘ）を形成するとともに、前記収納空間（Ｘ）の手前側に、前記収納空間（Ｘ）の全部又は一部を隠蔽する扉（１）を設けたことを特徴とする。
【０００８】
また、請求項２に係る発明の壁面収納装置は、壁面（１０）に設けられた略水平方向のレール部材（２０）に、係止部材（６０）を介して棚板を前記壁面（１０）から手前側に突出するように、着脱自在に取り付けてなる壁面収納装置であって、前記棚板の下方床面には箱部材（４０）が設置されており、前記棚板を天板（２）とし、前記箱部材（４０）の上面を地板（４）として、前記天板（２）と前記地板（４）に挟まれた収納空間（Ｘ）を形成するとともに、前記収納空間（Ｘ）の手前側に、前記収納空間（Ｘ）の全部又は一部を隠蔽する扉（１）を設けたことを特徴とする。
【０００９】
また、請求項３に係る発明の壁面収納装置は、壁面（１０）に設けられた略水平方向のレール部材（２０）に、係止部材（６０）を介して棚板を前記壁面（１０）から手前側に突出するように、着脱自在に取り付けてなる壁面収納装置であって、前記棚板を天板（２）とし、前記棚板の下方床面を地板（５）として、前記天板（２）と前記地板（５）に挟まれた収納空間（Ｘ）を形成するとともに、前記収納空間（Ｘ）の手前側に、前記収納空間（Ｘ）の全部又は一部を隠蔽する扉（１）を設けたことを特徴とする。
【００１０】
また、請求項４に係る発明は、請求項１乃至請求項３のうちいずれか一つに記載の発明において、前記収納空間（Ｘ）内の壁面（１０）には、更にレール部材（９０）が一本以上設けられており、その一本以上設けられているレール部材（９０）に棚板（９）を取り付けたことを特徴とする。
【００１１】
また、請求項５に係る発明は、請求項１乃至請求項４のうちいずれか一つに記載の発明において、前記収納空間（Ｘ）内又はその側面（境界部側面）に二枚の側板（６，６）を設けて、前記壁面（１０），前記天板（２），前記地板（３，４，５），前記扉（１），前記二枚の側板（６，６）により箱型の閉鎖空間（Ｙ）を形成したことを特徴とする。
なお、側板は、天板と地板を垂直方向に結ぶように設けたものであり、収納空間の左右の端部に設けたもののほか、端部よりも収納空間の内側寄りに設けたものも含まれる。さらに、収納空間の左右側面（境界部側面）に設けたものも含まれる。また、天板、地板以外の棚板と結合させることもある。
【００１２】
また、請求項６に係る発明は、請求項５に記載の発明において、前記閉鎖空間（Ｙ）を左右に分割する仕切板（７）及び／又は前記閉鎖空間（Ｙ）を上下に分割する分割棚板（８）をさらに設けたことを特徴とする。
【００１３】
また、請求項７に係る発明は、請求項１乃至請求項６のうちいずれか一つに記載の発明において、前記扉（１）は、前記天板（２）に取り付けられた左右にスライド可能な引き戸であることを特徴とする。
【００１４】
また、請求項８に係る発明は、請求項１乃至請求項６のうちいずれか一つに記載の発明において、前記扉（１）は、前記天板（２）に取り付けられた開閉自在な上開き戸であることを特徴とする。
【００１５】
また、請求項９に係る発明は、請求項１乃至請求項６のうちいずれか一つに記載の発明において、前記扉（１）は、前記地板（３，４，５）に取り付けられた開閉自在な下開き戸であることを特徴とする。
【００１６】
また、請求項１０に係る発明は、請求項５又は請求項６に記載の発明において、前記扉（１）は、前記側板（６）に取り付けられた開閉自在な横開き戸であることを特徴とする。
【００１７】
なお、括弧内の記号は、発明を実施するための最良の形態および図面に記載された対応要素または対応事項を示す。
【発明の効果】
【００１８】
請求項１に記載の発明によれば、壁面に設けられたレール部材に着脱自在に取り付けられた棚板から構成されるので、棚板の取付場所を変更することにより、壁面収納装置をレール部材の位置に合わせて様々に配置することができる。
また、上下平行に設けられた二本のレール部材にそれぞれ棚板を取り付けて、上方の棚板を天板とし下方の棚板を地板とするので、天板と地板に挟まれた収納空間を形成して収納物を収容することができる。
さらに、収納空間の手前側に扉を設けるので、収納物が手前側から見えないように収納空間の全部又は一部を隠蔽することができる。
また、天板は上方のレール部材に支持され、地板と収納物は下方のレール部材に支持され、扉は天板，地板のいずれか又は両方により支持されるので、従来のように一本のレール部材で収納ボックスと収納物を支える構造と比較して、重量を二本のレール部材に分散させることができ、収納可能重量を大きくすることができる。
【００１９】
また、請求項２に記載の発明によれば、壁面に設けられたレール部材に着脱自在に取り付けられた棚板から構成されるので、棚板の取付場所を変更することにより、壁面収納装置をレール部材の位置に合わせて様々に配置することができる。
また、レール部材に取り付けられた棚板を天板とし、棚板の下方床面に設置された箱部材の上面を地板とするので、天板と地板に挟まれた収納空間を形成して収納物を収容することができる。
さらに、収納空間の手前側に扉を設けるので、収納物が手前側から見えないように収納空間の全部又は一部を隠蔽することができる。
また、天板は上方のレール部材に支持され、収納物は地板である箱部材の上面に支持され、扉は天板，地板のいずれか又は両方により支持されるので、従来のように一本のレール部材で収納ボックスと収納物を支える構造と比較して、重量をレール部材と箱部材の上面に分散させることができ、収納可能重量を大きくすることができる。
【００２０】
また、請求項３に記載の発明によれば、壁面に設けられたレール部材に着脱自在に取り付けられた棚板から構成されるので、棚板の取付場所を変更することにより、壁面収納装置をレール部材の位置に合わせて様々に配置することができる。
また、レール部材に取り付けられた棚板を天板とし、棚板の下方床面を地板とするので、天板と地板に挟まれた収納空間を形成して収納物を収容することができる。
さらに、収納空間の手前側に扉を設けるので、収納物が手前側から見えないように収納空間の全部又は一部を隠蔽することができる。
また、天板は上方のレール部材に支持され、収納物は地板である床面に支持され、扉は天板，地板のいずれか又は両方により支持されるので、従来のように一本のレール部材で収納ボックスと収納物を支える構造と比較して、重量をレール部材と床面に分散させることができ、収納可能重量を大きくすることができる。
【００２１】
また、請求項４に記載の発明によれば、請求項１乃至請求項３のうちいずれか一つに記載の発明の作用効果に加えて、収納空間内の壁面には、更にレール部材が一本以上設けられており、その一本以上設けられているレール部材に棚板を取り付けるので、地板だけではなく間に設けた棚板にも収納物を設置できる。従って、収納物の重量を複数のレール部材に分散させることができる。
【００２２】
また、請求項５に記載の発明によれば、請求項１乃至請求項４のうちいずれか一つに記載の発明の作用効果に加えて、収納空間内又はその側面に二枚の側板を設けるので、壁面，天板，地板，扉，二枚の側板により箱型の閉鎖空間を形成し、収納物を外側から完全に隠蔽することができる。
また、側板を設けることで、天板や地板が上方向に回転して係止部材が外れるような動きが抑制されるので、天板や地板が意に反してレール部材から外れることがない。
また、側板を介して、天板に対する加重が地板あるいは間に設けた他の棚板に伝わるので、扉を天板で支持する上吊り引き戸とした場合であっても、引き戸の重量を天板、地板、他の棚板に分散させることができる。従って、重量の大きな引き戸であっても、地板の上面に溝を設けてレールを埋め込むなどして支える必要がない。これにより、地板の制約が少なくなり、設置位置を自由に変更して部屋の模様替えをすることができる。
【００２３】
また、請求項６に記載の発明によれば、請求項５に記載の発明の作用効果に加えて、閉鎖空間を左右に分割する仕切板や、上下に分割する分割棚板を設けるので、様々なバリエーションの壁面収納装置を提供することができる。
【００２４】
また、請求項７に記載の発明によれば、請求項１乃至請求項６のうちいずれか一つに記載の発明の作用効果に加えて、スライド可能な引き戸を天板に取り付けるので、部屋のデザイン等に合わせて壁面収納装置の扉として引き戸を選択することができる。
【００２５】
また、請求項８に記載の発明によれば、請求項１乃至請求項６のうちいずれか一つに記載の発明の作用効果に加えて、開閉自在な上開き戸を天板に取り付けるので、部屋のデザイン等に合わせて壁面収納装置の扉として上開き戸を選択することができる。
【００２６】
また、請求項９に記載の発明によれば、請求項１乃至請求項６のうちいずれか一つに記載の発明の作用効果に加えて、開閉自在な下開き戸を地板に取り付けるので、部屋のデザイン等に合わせて壁面収納装置の扉として下開き戸を選択することができる。
【００２７】
また、請求項１０に記載の発明によれば、請求項５又は請求項６に記載の発明の作用効果に加えて、開閉自在な横開き戸を側板に取り付けるので、部屋のデザイン等に合わせて壁面収納装置の扉として横開き戸を選択することができる。
【発明を実施するための最良の形態】
【００２８】
次に図１乃至図３を参照して、本発明の実施形態１に係る壁面収納装置について説明する。
図１は実施形態１に係る壁面収納装置を示す斜視図である。また、図２は図１のＡ−Ａ拡大断面図であり、図３は図１のＢ−Ｂ拡大断面図である。
【００２９】
図１に示すように、壁面１０には略水平方向に二本のレール部材２０，３０が設けられている。この二本のレール部材２０，３０は上下平行であり、それぞれのレール部材には棚板が壁面１０から手前側に突出するように取り付けられている。
そして、上方のレール部材２０に取り付けられた棚板を天板２とし、下方のレール部材３０に取り付けられた棚板を地板３として、天板２と地板３に挟まれた収納空間Ｘが形成されている。
さらに、収納空間Ｘの手前側（壁面１０の反対側）には扉１が設けられており、収納空間Ｘの一部を隠蔽するようになっている。
なお、壁面１０には、レール部材２０，３０の他にも、同じく平行にレール部材７０，８０が設けられている。
【００３０】
次に図２を参照して、天板２とレール部材２０の取付構造（地板３とレール部材３０についても同様）について説明する。
図２に示すように、壁面１０は、パネル部材１１，１１とレール部材２０を交互に連結することにより形成されている。また、レール部材２０には断面円弧状の挿入溝部２１が設けられている。
一方、天板２の壁面１０側の背面から下面にかけて、係止部材６０が取り付けられている。係止部材６０の一端には断面円弧状の挿入片６１が形成されており、他端には壁面１０と当接する当接部６２が形成されている。そして、挿入片６１をレール部材２０の挿入溝部２１に挿入するとともに当接部６２を壁面１０に当接させて、天板２をレール部材２０に取り付けている。
なお、壁面にレール部材を設ける構造としては、上記のほか、壁材の溝にレール部材を埋設するものや、パネル部材と異質のレール部材を用いずに、パネル部材自体で棚板の取付用溝（レール）を形成するものであってもよい。さらに、係止部材の形状についても上記形状に限られない。
【００３１】
次に図３を参照して、扉１の取付構造について説明する。
図３に示すように、天板２の扉１側の下面には案内溝１２が形成されている。また、扉１の裏面には先端に車輪１４が設けられた略Ｌ字形の金具１３が取り付けられている。そして、車輪１４が案内溝１２に移動可能に係合され、なおかつ車輪１４と案内溝１２を介して、扉１が天板２に支持されるようになっている。
一方、地板３の扉１側の下面には案内溝１５が形成されている。また、扉１の裏面には略Ｌ字形の金具１６が取り付けられている。そして、金具１６の先端が案内溝１５に案内されるようになっている。
上記構成により、扉１は左右にスライドさせて開閉することができる引き戸となっている。
【００３２】
実施形態１に係る壁面収納装置によれば、壁面１０に設けられたレール部材２０，３０に着脱自在に取り付けられた棚板から構成されるので、棚板の取付場所を変更することにより、壁面収納装置をレール部材２０，３０の位置に合わせて様々に配置することができる。なお、レール部材７０やレール部材８０を利用すれば、壁面１０の上下方向にも様々に配置することができる。
また、上下平行に設けられた二本のレール部材２０，３０にそれぞれ棚板を取り付けて、上方の棚板を天板２とし下方の棚板を地板３とするので、天板２と地板３に挟まれた収納空間Ｘを形成して収納物を収容することができる。
さらに、収納空間Ｘの手前側に扉１を設けるので、収納物が手前側から見えないように収納空間Ｘの一部を隠蔽することができる。
また、天板２は上方のレール部材２０に支持され、地板３と収納物は下方のレール部材３０に支持され、扉１は天板２により支持されるので、従来のように一本のレール部材で収納ボックスと収納物を支える構造と比較して、重量を二本のレール部材２０，３０に分散させることができ、収納可能重量を大きくすることができる。
【００３３】
また、実施形態１においては、引き戸である扉１を取り付けるために、天板２の下面に案内溝１２を形成し、地板３の下面に案内溝１５を形成している。従って、天板２と地板３の上面には扉１を取り付けるための溝等が何も存在せず、棚板として単独で使用する場合にも支障なく使用することができる。
もちろん、これに限らず、扉１を取り付けるための溝等が天板２や地板３の上面に存在する構成であってもよい。
【００３４】
なお、実施形態１では、引き戸である扉１が天板２に支持される構成としたが、天板２と地板３の両方により支持される構成としてもよい。
この場合、扉１を介して天板２と地板３のそれぞれへの加重が相互に伝わることとなるため、天板２，地板３，扉１，収納物の合計重量が二本のレール部材２０，３０に半分ずつ分散され、安定的に支えることができる。
【００３５】
次に図４を参照して、実施形態２に係る壁面収納装置について説明する。
図４は実施形態２に係る壁面収納装置を示す斜視図である。
【００３６】
図４に示すように、壁面１０には略水平方向にレール部材２０が設けられている。また、レール部材２０からは棚板が壁面１０から手前側に突出するように取り付けられている。
一方、棚板の下方床面には上面が平坦な箱部材４０が設置されている。なお箱部材４０の内部には収納スペースが設けられているが、必ずしも必要ではない。
そして、レール部材２０に取り付けられた棚板を天板２とし、下方の箱部材４０の上面を地板４として、天板２と地板４に挟まれた収納空間Ｘが形成されている。
さらに、収納空間Ｘの手前側（壁面１０の反対側）には扉１が設けられており、収納空間Ｘの一部を隠蔽するようになっている。
【００３７】
天板２とレール部材２０の取付構造については、実施形態１と同様である。また、扉１は左右にスライド可能な引き戸であり、扉１と天板２の取り付け構造も実施形態１と同様である。
ただし、扉１と地板４の取付構造は実施形態１と異なる。図５は、図４のＣ−Ｃ拡大断面図であり、扉１と地板４の取付構造を示している。実施形態２においては、箱部材４０の上面である地板４に振れ止め部材４１を設けてある。そして、扉１の下端部に溝が形成され振れ止め部材４１に係合しながら自由に移動できるようになっている。図５では、扉１の左右の幅を天板２、地板４の長さの半分程度としているが、これを半分より幅広とし、振れ止め部材４１を地板４の中間部に設けて、収納空間Ｘの全体をスライドできるようにしてもよい。
なお、振れ止め部材４１を設けるのではなく、地板４にＶレールを設けて扉１の下端部をスライドさせるようにしてもよい。
上記構成により、扉１は左右にスライドさせて開閉することができる引き戸となっている。
【００３８】
実施形態２に係る壁面収納装置によれば、壁面１０に設けられたレール部材２０に着脱自在に取り付けられた棚板から構成されるので、棚板の取付場所を変更することにより、壁面収納装置をレール部材２０の位置に合わせて様々に配置することができる。
また、レール部材２０に取り付けられた棚板を天板２とし、棚板の下方床面に設置された箱部材４０の上面を地板４とするので、天板２と地板４に挟まれた収納空間Ｘを形成して収納物を収容することができる。
さらに、収納空間Ｘの手前側に扉１を設けるので、収納物が手前側から見えないように収納空間Ｘの一部を隠蔽することができる。
また、天板２は上方のレール部材２０に支持され、収納物は地板４である箱部材の上面に支持され、扉１は天板２により支持されるので、従来のように一本のレール部材で収納ボックスと収納物を支える構造と比較して、重量をレール部材と箱部材の上面に分散させることができ、収納可能重量を大きくすることができる。
【００３９】
また、実施形態２においては、引き戸である扉１を取り付けるために、天板２の下面に案内溝１２を形成している。従って、天板２の上面には扉１を取り付けるための溝等が何も存在せず、棚板として単独で使用する場合にも支障なく使用することができる。
もちろん、これに限らず、扉１を取り付けるための溝等が天板２の上面に存在する構成であってもよい。
【００４０】
次に図６を参照して、実施形態３に係る壁面収納装置について説明する。
図６は実施形態３に係る壁面収納装置を示す斜視図である。
【００４１】
図６に示すように、壁面１０には略水平方向にレール部材２０が設けられている。また、レール部材２０からは棚板が壁面１０から手前側に突出するように取り付けられている。
一方、棚板の下方には何も存在せず、直接床面となっているが、この空間内に複数のレール部材および棚板を設置することも可能である。
そして、レール部材２０に取り付けられた棚板を天板２とし、下方床面を地板５として、天板２と地板５に挟まれた収納空間Ｘが形成されている。
さらに、収納空間Ｘの手前側（壁面１０の反対側）には扉１が設けられており、収納空間Ｘの一部を隠蔽するようになっている。
【００４２】
天板２とレール部材２０の取付構造については、実施形態１と同様である。また、扉１は左右にスライド可能な引き戸であり、扉１と天板２の取り付け構造も実施形態１と同様である。
ただし、扉１と地板５の取付構造は実施形態１と異なる。実施形態３においては、床面である地板５に溝を形成し、Ｖレール５１を嵌め込んである。そして、扉１の下端部がＶレール５１に係合しながら自由に移動できるようになっている。
上記構成により、扉１は左右にスライドさせて開閉することができる引き戸となっている。
【００４３】
実施形態３に係る壁面収納装置によれば、壁面１０に設けられたレール部材２０に着脱自在に取り付けられた棚板から構成されるので、棚板の取付場所を変更することにより、壁面収納装置をレール部材２０の位置に合わせて様々に配置することができる。
また、レール部材２０に取り付けられた棚板を天板２とし、棚板の下方床面を地板５とするので、天板２と地板５に挟まれた収納空間Ｘを形成して収納物を収容することができる。
さらに、収納空間Ｘの手前側に扉１を設けるので、収納物が手前側から見えないように収納空間Ｘの一部を隠蔽することができる。
また、天板２は上方のレール部材２０に支持され、収納物は地板５である床面に支持され、扉１は天板２，地板５の両方により支持されるので、従来のように一本のレール部材で収納ボックスと収納物を支える構造と比較して、重量をレール部材と床面に分散させることができ、収納可能重量を大きくすることができる。
【００４４】
また、実施形態３においては、引き戸である扉１を取り付けるために、天板２の下面に案内溝１２を形成している。従って、天板２の上面には扉１を取り付けるための溝等が何も存在せず、棚板として単独で使用する場合にも支障なく使用することができる。
もちろん、これに限らず、扉１を取り付けるための溝等が天板２の上面に存在する構成であってもよい。
【００４５】
以上、実施形態１乃至実施形態３に係る壁面収納装置について説明した。
なお、実施形態１乃至実施形態３においては、扉１を左右にスライド可能な引き戸としたが、扉１のタイプはこれに限られない。
従って、上開き戸や下開き戸とすることが可能である。上開き戸の場合は、扉１の上端部を天板２に開閉自在に取り付ければよい。また、下開き戸の場合は、扉１の下端部を地板３，４，５に開閉自在に取り付ければよい。
このように、部屋のデザイン等に合わせて壁面収納装置の扉１として、引き戸、上開き戸、下開き戸を選択することができる。
なお、上開き戸とした場合には扉１は天板２に支持されることとなり、下開き戸とした場合には扉１は地板３，４，５に支持されることとなるので、天板２と地板３，４，５に対する加重バランスを考慮して扉１のタイプを選択するとよい。
【００４６】
次に図７を参照して、実施形態４に係る壁面収納装置について説明する。
図７は実施形態４に係る壁面収納装置を示す斜視図である。
【００４７】
実施形態４に係る壁面収納装置は、図１に示す実施形態１とほぼ同様の構成であるが、図７に示すように、二枚の側板６，６を設けた点が異なり、さらなる効果を有している。
二枚の側板６，６は収納空間Ｘ内に設けられ、その結果、壁面１０，天板２，地板３，扉１，側板６，６により箱型の閉鎖空間Ｙが形成されている。
側板６，６は天板２と地板３を垂直方向に結ぶように設けられており、一方の側板６は収納空間Ｘの右の端部に設けられ、他方の側板６は収納空間Ｘの端部よりも内側に設けられている。なお、側板６，６の両方がそれぞれ収納空間Ｘの左右の端部に設けられてもよいし、側板６，６の両方が端部よりも収納空間Ｘの内側に設けられてもよい。さらに、収納空間Ｘの左右側面に設けられてもよい。
【００４８】
実施形態４に係る壁面収納装置によれば、実施形態１と比較してさらに、収納空間Ｘ内に二枚の側板６，６を設けるので、壁面１０，天板２，地板３，扉１，二枚の側板６，６により箱型の閉鎖空間Ｙを形成し、収納物を外側から完全に隠蔽することができる。
また、側板６，６を設けることで、天板２や地板３が上方向に回転して係止部材６０が外れるような動きが抑制されるので、天板２や地板３が意に反してレール部材２０，３０から外れることがない。
また、側板６，６を介して天板２と地板３のそれぞれへの加重が相互に伝わることとなるため、天板２，地板３，扉１，二枚の側板６，６，収納物の合計重量が二本のレール部材２０，３０に半分ずつ分散され、安定的に支えることができる。
【００４９】
次に図８を参照して、実施形態５に係る壁面収納装置について説明する。
図８は実施形態５に係る壁面収納装置を示す斜視図である。
【００５０】
実施形態５に係る壁面収納装置は、図７に示す実施形態４とほぼ同様の構成であるが、図８に示すように、収納空間Ｘが縦方向に長くなっている。収納空間Ｘ内の壁面１０にはレール部材２０，３０とは異なる二本のレール部材９０，９０が更に設けられており、その設けられているレール部材９０，９０に棚板９，９が取り付けられている。この結果、閉鎖空間Ｙは三つの部屋に分割されている。
なお、棚板９の枚数は一枚以上であれば特に限定されない。
【００５１】
実施形態５に係る壁面収納装置によれば、収納空間Ｘ内の壁面１０には、更にレール部材９０，９０が設けられており、その設けられているレール部材９０，９０に棚板９，９を取り付けるので、地板３だけではなく間に設けた棚板９，９にも収納物を設置できる。従って、収納物の重量を複数のレール部材に分散させることができる。
また、側板６，６を介して天板２，地板３，棚板９，９のそれぞれへの加重が相互に伝わることとなるため、天板２，地板３，扉１，二枚の側板６，６，二枚の棚板９，９，収納物の合計重量が四本のレール部材２０，３０，９０，９０に分散され、安定的に支えることができる。従って、扉１として大きく重いものを用いることが可能となる。
【００５２】
次に図９を参照して、実施形態６に係る壁面収納装置について説明する。
図９は実施形態６に係る壁面収納装置を示す斜視図である。
【００５３】
実施形態６に係る壁面収納装置は、図４に示す実施形態２とほぼ同様の構成であるが、図９に示すように、二枚の側板６，６を設けた点が異なり、さらなる効果を有している。
二枚の側板６，６は収納空間Ｘ内に設けられ、その結果、壁面１０，天板２，地板４（箱部材４０の上面），扉１，側板６，６により箱型の閉鎖空間Ｙが形成されている。
側板６，６は天板２と地板４を垂直方向に結ぶように設けられており、一方の側板６は収納空間Ｘの右の端部に設けられ、他方の側板６は収納空間Ｘの端部よりも内側に設けられている。なお、側板６，６の両方がそれぞれ収納空間Ｘの左右の端部に設けられてもよいし、側板６，６の両方が端部よりも収納空間Ｘの内側に設けられてもよい。さらに、収納空間Ｘの左右側面に設けられてもよい。
なお、扉１と地板４の取付構造は実施形態２と同様に、箱部材４０の上面である地板４に振れ止め部材４１を設け、扉１の下端部に溝が形成され振れ止め部材４１に係合しながら自由に移動できるようになっている。
【００５４】
実施形態６に係る壁面収納装置によれば、実施形態２と比較してさらに、収納空間Ｘ内に二枚の側板６，６を設けるので、壁面１０，天板２，地板４（箱部材４０の上面），扉１，二枚の側板６，６により箱型の閉鎖空間Ｙを形成し、収納物を外側から完全に隠蔽することができる。
また、側板６，６を介して箱部材４０に加重が伝わるので、大きく重い扉１を用いる場合も、箱部材４０上面にＶレールを埋め込んで支持する必要がなく、意匠性がよい。また地板の制約が少なくなり、設置位置を自由に変更して部屋の模様替えをすることができる。
【００５５】
次に図１０を参照して、実施形態７に係る壁面収納装置について説明する。
図１０は実施形態７に係る壁面収納装置を示す斜視図である。
【００５６】
実施形態７に係る壁面収納装置は、図５に示す実施形態３とほぼ同様の構成であるが、図１０に示すように、二枚の側板６，６を設けた点が異なり、さらなる効果を有している。
二枚の側板６，６は収納空間Ｘ内に設けられ、その結果、壁面１０，天板２，地板５（床面），扉１，側板６，６により箱型の閉鎖空間Ｙが形成されている。
側板６，６は天板２と地板５を垂直方向に結ぶように設けられており、一方の側板６は収納空間Ｘの右の端部に設けられ、他方の側板６は収納空間Ｘの端部よりも内側に設けられている。なお、側板６，６の両方がそれぞれ収納空間Ｘの左右の端部に設けられてもよいし、側板６，６の両方が端部よりも収納空間Ｘの内側に設けられてもよい。さらに、収納空間Ｘの左右側面に設けられてもよい。
【００５７】
実施形態７に係る壁面収納装置によれば、実施形態３と比較してさらに、収納空間Ｘ内に二枚の側板６，６を設けるので、壁面１０，天板２，地板５（床面），扉１，二枚の側板６，６により箱型の閉鎖空間Ｙを形成し、収納物を外側から完全に隠蔽することができる。
また、側板６，６を介して床面に加重が伝わるので、大きく重い扉１を用いる場合も、床面にＶレールを埋め込んで支持する必要がなく、意匠性がよい。また地板の制約が少なくなり、設置位置を自由に変更して部屋の模様替えをすることができる。
【００５８】
以上、実施形態４乃至実施形態７に係る壁面収納装置について説明した。
なお、実施形態１乃至実施形態３と同様に実施形態４乃至実施形態７においても、扉１として引き戸、上開き戸、下開き戸を選択することができるが、これに加えて実施形態４乃至実施形態７においては、さらに横開き戸を選択することができる。
扉１を横開き戸とする場合は、一方の側板６に開閉自在に取り付けて片側開きとしてもよいし、両方の側板６，６にそれぞれ取り付けて両側開きとしてもよい。
【００５９】
なお、実施形態１乃至実施形態７においては、扉１は収納空間Ｘの一部を隠蔽する範囲に設けたが、さらに扉１を大きくして収納空間Ｘの全体を隠蔽するようにしてもよい。
【００６０】
次に図１１及び図１２を参照して、実施形態８に係る壁面収納装置について説明する。
図１１は実施形態８に係る壁面収納装置の扉を除いた内部構造を示す斜視図である。また図１２は、扉を閉じた状態を示す斜視図である。
【００６１】
図１１に示すように、壁面１０には略水平方向に二本のレール部材２０，３０が設けられている。この二本のレール部材２０，３０は上下平行であり、棚板が壁面１０から手前側に突出するようにそれぞれ取り付けられている。
そして、上方のレール部材２０に取り付けられた棚板を天板２とし、下方のレール部材３０に取り付けられた棚板を地板３として、天板２と地板３に挟まれた収納空間Ｘが形成されている。
さらに図１０に示すように、収納空間Ｘの手前側（壁面１０の反対側）には扉１が設けられており、収納空間Ｘの全体を隠蔽するようになっている。扉１は左右の戸が側板６，６にそれぞれ取り付けられた左右開きの横開き戸となっている。
そして、二枚の側板６，６が収納空間Ｘ内に設けられ、その結果、壁面１０，天板２，地板３，扉１，側板６，６により箱型の閉鎖空間Ｙが形成されている。なお、側板６，６は収納空間Ｘの左右の端部に設けられているので、収納空間Ｘと閉鎖空間Ｙは同じものとなっている。
【００６２】
一方、閉鎖空間Ｙ内には、閉鎖空間Ｙを左右に分割する仕切板７と、閉鎖空間Ｙを上下に分割する分割棚板８が設けられている。
【００６３】
実施形態８に係る壁面収納装置によれば、閉鎖空間Ｙを左右に分割する仕切板７や、上下に分割する分割棚板８を設けるので、様々なバリエーションの壁面収納装置を提供することができる。
また、側板６，６を収納空間Ｘの左右の端部に設けているので収納空間Ｘと閉鎖空間Ｙが同じになり、天板２と地板３が左右側にはみ出さず、美観に優れた壁面収納装置とすることができる。
【００６４】
次に図１３及び図１４を参照して、実施形態９に係る壁面収納装置について説明する。
図１３は実施形態９に係る壁面収納装置の扉を除いた内部構造を示す斜視図である。また図１４は、扉を閉じた状態を示す斜視図である。
【００６５】
図１３に示すように、壁面１０には略水平方向にレール部材２０が設けられている。また、レール部材２０からは棚板が壁面１０から手前側に突出するように取り付けられている。
一方、棚板の下方には何も存在せず、直接床面となっている
そして、レール部材２０に取り付けられた棚板を天板２とし、下方床面を地板５として、天板２と地板５に挟まれた収納空間Ｘが形成されている。
さらに、収納空間Ｘの手前側（壁面１０の反対側）には扉１が設けられており、収納空間Ｘの全体を隠蔽するようになっている。扉１は左右の戸が側板６，６にそれぞれ取り付けられた左右開きの横開き戸となっている。
そして、二枚の側板６，６が収納空間Ｘ内に設けられ、その結果、壁面１０，天板２，地板５，扉１，側板６，６により箱型の閉鎖空間Ｙが形成されている。なお、側板６，６は収納空間Ｘの左右の端部に設けられているので、収納空間Ｘと閉鎖空間Ｙは同じものとなっている。
また側板６，６の下側に床面との隙間を調整するとともに、床面に傷を付けずに、床面に対する側板の位置を固定的に維持するアジャスターを設けてもよい。
【００６６】
一方、閉鎖空間Ｙ内には、閉鎖空間Ｙを左右に分割する仕切板７と、閉鎖空間Ｙを上下に分割する分割棚板８が設けられている。
【００６７】
実施形態９に係る壁面収納装置によれば、閉鎖空間Ｙを左右に分割する仕切板７や、上下に分割する分割棚板８を設けるので、様々なバリエーションの壁面収納装置を提供することができる。
また、側板６，６を収納空間Ｘの左右の端部に設けているので収納空間Ｘと閉鎖空間Ｙが同じになり、天板２が左右側にはみ出さず、美観に優れた壁面収納装置とすることができる。
【００６８】
なお、実施形態８及び実施形態９において、仕切板７と分割棚板８は両方とも設けてもよいし、どちらかのみ設けてもよい。さらに仕切板７、分割板８ともに枚数は限定されない。
また、実施形態８及び実施形態９のように収納空間Ｘと閉鎖空間Ｙが同じであるような壁面収納装置に限らず、例えば実施形態４乃至実施形態７のように閉鎖空間Ｙが収納空間Ｘの一部であるような壁面収納装置においても、仕切板７や分割棚板８を設けることが可能である。
一方、分割棚板８を左右に当接する側板６又は仕切板７に固定すれば、分割棚板８が側板６又は仕切板７の固定棚として機能し、壁面収納装置をより強固なものとすることができる。
【図面の簡単な説明】
【００６９】
【図１】本発明の実施形態１に係る壁面収納装置を示す斜視図である。
【図２】図１のＡ−Ａ拡大断面図である。
【図３】図１のＢ−Ｂ拡大断面図である。
【図４】実施形態２に係る壁面収納装置を示す斜視図である。
【図５】図４のＣ−Ｃ拡大断面図である。
【図６】実施形態３に係る壁面収納装置を示す斜視図である。
【図７】実施形態４に係る壁面収納装置を示す斜視図である。
【図８】実施形態５に係る壁面収納装置を示す斜視図である。
【図９】実施形態６に係る壁面収納装置を示す斜視図である。
【図１０】実施形態７に係る壁面収納装置を示す斜視図である。
【図１１】実施形態８に係る壁面収納装置の内部構造を示す斜視図である。
【図１２】実施形態８に係る壁面収納装置の外観を示す斜視図である。
【図１３】実施形態９に係る壁面収納装置の内部構造を示す斜視図である。
【図１４】実施形態９に係る壁面収納装置の外観を示す斜視図である。
【図１５】従来例に係る壁面収納装置を示す斜視図である。
【図１６】図１５のＤ−Ｄ拡大断面図である。
【符号の説明】
【００７０】
１    扉
２    天板
３    地板
４    地板
５    地板
６    側板
７    仕切板
８    分割棚板
９    棚板
１０    壁面
１１    パネル部材
１２    案内溝
１３    金具
１４    車輪
１５    案内溝
１６    金具  
２０    レール部材
２１    挿入溝部
３０    レール部材
４０    箱部材
４１    振れ止め部材
５１    Ｖレール
６０    係止部材
６１    挿入片
６２    当接部
９０    レール部材
１００    収納ボックス
１０１    本体
１０２    引き出し
Ｘ    収納空間
Ｙ    閉鎖空間
【図１】
2006238930.tif 000003
【図２】
2006238930.tif 000004
【図３】
2006238930.tif 000005
【図４】
2006238930.tif 000006
【図５】
2006238930.tif 000007
【図６】
2006238930.tif 000008
【図７】
2006238930.tif 000009
【図８】
2006238930.tif 000010
【図９】
2006238930.tif 000011
【図１０】
2006238930.tif 000012
【図１１】
2006238930.tif 000013
【図１２】
2006238930.tif 000014
【図１３】
2006238930.tif 000015
【図１４】
2006238930.tif 000016
【図１５】
2006238930.tif 000017
【図１６】
2006238930.tif 000018